(57)【特許請求の範囲】
【請求項１】
記録再生領域と、少なくとも１又は複数のアプリケーションプログラム、及び前記アプリケーションプログラムの種別毎に割り当てられているアプリケーション暗号の管理のための管理情報を備えている第１のファイルシステムが記録された再生専用領域とが設けられている記録媒体を記録再生する記録再生装置において、
前記第１のファイルシステムを読出して、前記アプリケーションプログラムに割り当てられているアプリケーション暗号の管理のための第２のファイルシステムを前記管理情報に基づいて生成して、前記記録再生領域に書込み、前記アプリケーションプログラムに割り当てられているアプリケーション暗号の入力要求を行なわせ、入力が行われると、該アプリケーションプログラムを管理可能となるように前記第２のファイルシステムを更新するように制御することにより、その入力されたアプリケーション暗号に相当するアプリケーションプログラムを起動可能とするアプリケーション暗号処理手段を備えている
ことを特徴とする記録再生装置。
【請求項２】
前記再生専用領域には、記録されているアプリケーションプログラムに対応するアプリケーション試用プログラムが記録されており、
アプリケーション暗号処理手段は、アプリケーション暗号の入力がないアプリケーションプログラムについては、そのアプリケーションプログラムに対応するアプリケーション試用プログラムを起動可能とさせることを特徴とする請求項１に記載の記録再生装置。
【請求項３】
記録再生領域と、少なくとも１又は複数のアプリケーションプログラム、及び前記アプリケーションプログラムの種別毎に割り当てられているアプリケーション暗号の管理のための管理情報を備えている第１のファイルシステムが記録された再生専用領域とが設けられている記録媒体に関するアプリケーション起動方法として、
前記第１のファイルシステムが読出されると、前記アプリケーションプログラムに割り当てられているアプリケーション暗号の管理のための第２のファイルシステムが前記管理情報に基づいて生成され、前記記録再生領域に書込こまれる書込み処理と、
前記アプリケーションプログラムに割り当てられているアプリケーション暗号の入力が行われると、該アプリケーションプログラムを管理可能となるように前記第２のファイルシステムが更新される更新処理とを実行し、
再生専用領域に記録されたアプリケーションプログラムの中で、アプリケーション暗号の入力が行なわれたアプリケーションプログラムのみを、前記記録再生領域内に形成された前記第２のファイルシステムでの管理対象とし、そのアプリケーション暗号の入力が行なわれたアプリケーションプログラムを起動可能とすることを特徴とするアプリケーション起動方法。
【請求項４】
前記再生専用領域に記録されたアプリケーションプログラムの中で、アプリケーション暗号の入力が行なわれないアプリケーションプログラムについては、そのアプリケーションプログラムに対応して前記再生専用領域に記録されているアプリケーション試用プログラムを起動可能とすることを特徴とする請求項３に記載のアプリケーション起動方法。
【発明の詳細な説明】
【０００１】
【発明の属する技術分野】
本発明は、例えばコンピュータソフトウエア等を収録するのに適した記録媒体、の記録再生装置及びその記録媒体に記録されるアプリケーションプログラムの起動方法に関するものである。
【０００２】
【従来の技術】
コンピュータ機器に用いる各種のソフトウエアを光ディスク、光磁気ディスク、磁気ディスク、メモリカード、磁気テープなどの記録媒体を用いて提供することが行なわれている。
このような記録媒体の一種として、近年、パーシャルＲＯＭディスクといわれるメディアが開発されており、このパーシャルＲＯＭディスクは再生専用のＲＯＭ領域と、記録／再生可能なリライタブル領域（ＲＡＭ領域）を有するものとされている。
【０００３】
【発明が解決しようとする課題】
ところで、各種のアプリケーションプログラムを提供するソフトウエアとしてパーシャルＲＯＭディスクなどの記録媒体を製造し出荷することを考えると、通常、１つのソフトウエアとなるアプリケーションプログラムを１つのディスクに収録し、そのソフトウエアを収録したディスクとして販売することになる。例えばソフトウエアとして種類の異なる複数のアプリケーションプログラムを同一のディスクに収録することはない。
【０００４】
もちろん複数のアプリケーションプログラムを１枚のディスクに収録することは物理的には可能であり、そのようなものも存在するが、この場合は、そのディスクを購入したユーザーには収録されている全てのアプリケーションプログラムを提供することになる。
つまり、個別に販売してユーザーに提供していくアプリケーションプログラムどうしは、当然ながら１つの記録媒体にまとめて収録されることはない。
【０００５】
このように１つのディスクには、個別に販売されるべきアプリケーションプログラムは１つしか収録されず、そのような意味において１つのディスクは１つのソフトウエアとして製造される。従って、個別に販売されるべきソフトウエアを多種類製造する場合は、その種類毎に異なるディスク、つまり異なるアプリケーションプログラムが記録されたディスクを製造しなければならない。
このため、多種類のソフトウエアを提供する場合は製造工程の効率化を計ることに限度がある。
またユーザー側から見れば、必要なソフトウエア毎にディスクを購入していかなければならないという面倒もある。
さらに、あくまでも購入したソフトウエアしか使用できないため、例えば購入前に試験的に或るソフトウエアを試してみるといったようなこともできない。
【０００６】
【課題を解決するための手段】
本発明はこのような問題点に鑑みて、１つの記録媒体に個別に販売されるべきアプリケーションプログラムであっても１又は複数収録しておき、各ユーザーは例えば収録されているアプリケーションプログラム毎に所定の料金を払うことで、必要なアプリケーションプログラムを使用できるなどの新たなソフトウエア提供形態を実現することを目的とする。
【０００７】
このため、記録再生装置は、記録再生領域と、少なくとも１又は複数のアプリケーションプログラム、及び前記アプリケーションプログラムの種別毎に割り当てられているアプリケーション暗号の管理のための管理情報を備えている第１のファイルシステムが記録された再生専用領域とが設けられている記録媒体を記録再生する記録再生装置において、前記第１のファイルシステムを読出して、前記アプリケーションプログラムに割り当てられているアプリケーション暗号の管理のための第２のファイルシステムを前記管理情報に基づいて生成して、前記記録再生領域に書込み、前記アプリケーションプログラムに割り当てられているアプリケーション暗号の入力要求を行なわせ、入力が行われると、該アプリケーションプログラムを管理可能となるように前記第２のファイルシステムを更新するように制御することにより、その入力されたアプリケーション暗号に相当するアプリケーションプログラムを起動可能とするアプリケーション暗号処理手段を備えている。
【０００８】
このようにすれば、例えばユーザーは記録媒体に収録されているアプリケーションプログラムの中で或るアプリケーションプログラムに対しての料金を払うなどしてメーカー側のサービスセンタ等からアプリケーション暗号を手に入れれば、そのアプリケーションプログラムのみの使用ができる。さらに他のアプリケーションプログラムも使用したければ、そのアプリケーションプログラムに対しての料金を払い、アプリケーション暗号を手に入れれば、そのアプリケーションプログラムについても使用が可能となる。つまり１つの記録媒体をユーザー個別に対応して、各ユーザーが必要とされるアプリケーションプログラムを記録した異なるソフトウエアとして提供していくことができる。
【０００９】
また、アプリケーション暗号の入力が行なわれないアプリケーションプログラムについては、そのアプリケーションプログラムに対応して再生専用領域に記録されているアプリケーション試用プログラムを起動可能としておけば、ユーザーは料金を払う前に試験的に使用するといったこともできる。
【００１０】
【発明の実施の形態】
以下、本発明の記録再生装置及びアプリケーション起動方法としての実施の形態を次の順序で説明していく。
１．パーシャルＲＯＭディスクのエリア構造
２．記録再生装置の構成
３．フォーマット及びアプリケーション登録処理
【００１１】
１．パーシャルＲＯＭディスクのエリア構造
図１は各種ディスクメディアを図示したものであり、図１（ａ）は主データ領域全体が例えばエンボスピットなどによる再生専用領域（ＲＯＭ領域）ＡＥとされているＲＯＭディスクである。また図１（ｂ）は主データ領域全体が例えば光磁気領域などによる記録／再生可能なリライタブル領域ＡＲＷとされているＲＡＭディスクである。
本実施の形態例の記録媒体となるパーシャルＲＯＭディスクは例えば図１（ｃ）または（ｄ）のような構造を持つ。即ち１枚のディスクの主データ領域においてＲＯＭ領域ＡＥとリライタブル領域ＡＲＷが設けられているものである。
【００１２】
図２は、パーシャルＲＯＭディスクの外周側から内周側までのエリア構成を示したものである。
ディスク最外周側には７３６トラック分のＧＣＰゾーンが設けられ、内周側に向かって２トラック分のバッファゾーン、５トラック分のアウターコントロールゾーン、２トラック分のバッファゾーン、５トラック分のテストゾーンが設けられる。そしてそのテストゾーンに続いて、ユーザーが所望のデータの記録を行なうことができるリライタブル領域ＡＲＷ及び再生専用のＲＯＭ領域ＡＥから成る主データ領域としてのユーザーエリアが形成される。
【００１３】
ユーザーエリアより内周側には５トラック分のテストゾーン、２トラック分のバッファゾーン、５トラック分のインナーコントロールゾーン、２トラック分のバッファゾーン、８２０トラック分のＧＣＰゾーンが設けられる。
【００１４】
ＧＣＰゾーン、アウターコントロールゾーン、インナーコントロールゾーンは、それぞれ所定のコントロール情報が記録されるエリアとされている。
また、このパーシャルＲＯＭディスクは、ゾーン単位で定速回転されるいわゆるゾーンＣＡＶディスクとされており、ユーザーエリアは１６バンド（１６ゾーン）に分割されている。
１６バンドのうち幾つをリライタブル領域ＡＲＷとし、幾つをＲＯＭ領域ＡＥとするかは製造者側で任意に設定できる。
【００１５】
１６バンドで形成されるユーザーエリアについて、リライタブル領域ＡＲＷの構成を詳しく示したものが図３（ａ）（ｂ）である。図３（ａ）はユーザーエリアにおけるディスク外周側にリライタブル領域ＡＲＷが設けられた場合、図３（ｂ）はディスク内周側にリライタブル領域ＡＲＷが設けられた場合をそれぞれ示している。
各図からわかるようにリライタブル領域ＡＲＷの先頭にはディフェクトマネジメントエリアＤＭＡ１，ＤＭＡ２が設けられ、またリライタブル領域ＡＲＷの終端にディフェクトマネジメントエリアＤＭＡ３，ＤＭＡ４が設けられる。またＲＯＭ領域ＡＥと隣接する領域はバッファエリアとされている。
【００１６】
そして、１バンド毎にデータエリアと、そのデータエリアに対応する交代エリアが用意される。従ってリライタブル領域ＡＲＷが１６バンドの内のｎバンド分とされる場合は、ｎ単位のデータエリアと、ｎ単位の交代エリアが設けられる。交代エリアとは、データエリア内において傷などで記録／再生不能となるディフェクト部位が存在していた場合に、そのディフェクト部位に代えて用いられる部位を提供するエリアとされる。
【００１７】
例えば図３（ａ）に『×』として示すようにデータエリア内にディフェクト部位が存在した場合、その『×』部位に代わる記録領域が矢印で示すように交代エリア内の領域に設定される。
ディフェクトマネジメントエリアＤＭＡ１〜ＤＭＡ４は、このような交代状況を管理し、ディフェクト部位を避けた記録／再生が適正に行なわれるようにする情報が記録されるものである。
【００１８】
なお、データエリア内のディフェクト部位の検索、ディフェクト部位に代わる交代エリア上の部位の指定、ディフェクトマネジメントエリアＤＭＡ１〜ＤＭＡ４としての情報の作成及びリライタブル領域ＡＲＷへの記録等は、ディスクの物理フォーマット処理において行なわれることになり、つまり物理フォーマットによって図３（ａ）又は（ｂ）の状態とされることで、リライタブル領域ＡＲＷが物理的に記録／再生可能な状態とされる。
ただし実際にリライタブル領域ＡＲＷに対してファイル書込等を行なうには、物理フォーマットされたディスクに対してさらに論理フォーマットを施し、各種の記録／再生動作を管理するためのファイルシステムをリライタブル領域ＡＲＷに書き込まなければならない。
【００１９】
本例においては、パーシャルＲＯＭディスクとしての出荷の時点では物理フォーマットのみが行なわれているものとし、論理フォーマットは、各パーシャルＲＯＭディスクを用いるホストコンピュータ及びドライバ（記録再生装置）側で行なうようにする。
【００２０】
そして本例の要点としては、ＲＯＭ領域ＡＥに記録されているアプリケーションプログラムについて、ユーザーがメーカー側に料金を払うなどして適正にアプリケーション暗号を入手したものについては、そのアプリケーションプログラムを記録／再生を管理するファイルシステムにおいて管理させることで、そのアプリケーションプログラムを起動可能とするものである。或るアプリケーションプログラムをリライタブル領域ＡＲＷのファイルシステムに管理させるようにする処理をアプリケーション登録処理と呼ぶこととする。
また、アプリケーション暗号とはメーカー側で、アプリケーションプログラムの種別毎に個別に設定するコードナンバのことをいう。
【００２１】
アプリケーション登録処理は、論理フォーマットの時点で行なわれ、また論理フォーマットの後に他のアプリケーションプログラムを追加登録するためなどにも実行可能とされる。論理フォーマット及びアプリケーション登録処理については後述する。
【００２２】
２．記録再生装置の構成
図４に記録再生装置の構成を示す。
記録再生装置１は、ＳＣＳＩインターフェース接続されたホストコンピュータ２との間で、コマンド及びデータの受け渡しが可能と構成され、ホストコンピュータ２からのコマンド及びデータの供給に応じてディスク９０に対するデータの記録を行ない、またホストコンピュータ２からのコマンドに応じてディスク９０からデータを読み出し、ホストコンピュータ２に供給する動作を行なう。ここでディスク９０とは、上述してきたパーシャルＲＯＭディスクであるとする。
【００２３】
コントローラ１１はホストコンピュータ２との間の通信及び記録再生装置の記録動作、再生動作の全体の制御を行なう。
コントローラ１１はＤＳＰ（デジタルシグナルプロセッサ）１９を介して実際の記録／再生駆動を実行させる。ＤＳＰ１９は、いわゆるサーボドライバとしての機能を持ち、コントローラ１１から供給されるゾーン情報（アドレス）に応じてスピンドルドライバ２１に対してスピンドル駆動制御信号を供給し、スピンドルモータ２２に駆動信号を印加させることで、ディスク９０のゾーンＣＡＶ駆動を実行させる。
【００２４】
また光学ヘッド１５におけるレーザダイオード１５ａからのレーザ発光動作を実行させるためにレーザドライバ１６に駆動制御信号を出力し、レーザ発光制御を行なう。レーザダイオード１５ａからのレーザ光は図示しない光学系を通り、対物レンズ１５ｂを介してディスク９０に照射される。またディスク９０からの反射光は図示しない光学系を通ってディテクタ１５ｃに照射され、電気信号として取り出される。
【００２５】
ディテクタ１５ｃで得られる電気信号はＩ−Ｖ／マトリクスアンプ１７に供給され、電流／電圧変換された後、マトリクス演算アンプにより各種信号が取り出される。即ち、ディスク９０のＲＯＭ領域ＡＥからの再生データとされるべきＲＦ信号、ディスク９０のリライタブル領域ＡＲＷからの再生データとされるべきＭＯ信号、フォーカスエラー信号、トラッキングエラー信号、フロントＡＰＣ信号などが抽出される。
【００２６】
サーボ情報であるフォーカスエラー信号、トラッキングエラー信号、フロントＡＰＣ信号はＡ／Ｄ変換器１８でデジタルデータ化されてＤＳＰ１９に供給される。
ＤＳＰ１９は、フォーカスエラー信号、トラッキングエラー信号に応じてサーボ駆動信号を発生させ、ＰＷＭドライバ２０に供給する。ＰＷＭドライバ２０は光学ヘッド１５内のフォーカスコイル、ガルバノモータ、スライドモータに対する駆動電力を供給する。
【００２７】
即ちフォーカスエラー信号に基づいたフォーカスサーボ駆動信号によりＰＷＭドライバ２０がフォーカスコイルに駆動電力を印加することで対物レンズがディスクに接離する方向に駆動されてフォーカス制御が行なわれ、またトラッキングエラー信号に基づいたトラッキングサーボ駆動信号、スライドサーボ駆動信号によりＰＷＭドライバ２０がガルバノモータ、スライドモータに駆動電力を印加することでトラッキング制御、スレッド移動制御が行なわれる。
またＤＳＰ１９はフロントＡＰＣ信号に応じてレーザドライバ１６を制御し、レーザレベルを適正に保つようにしている。
【００２８】
ディスク９０に対する再生時において読み出されるデータは、Ｉ−Ｖ／マトリクスアンプ１７からＲＦ信号もしくはＭＯ信号として得られる。Ｉ−Ｖ／マトリクスアンプ１７からの出力はゲイン／オフセットコントロール部２３で適切な電位レベルとされ、Ａ／Ｄ変換器２４でデジタルデータ化される。
そしてデジタルデータ化された信号はエンコーダ／デコーダ部１２に供給され、デジタルフィルタ処理、ビタビ復号処理、ＮＲＺ復号処理、デスクランブル処理等を施され、再生データとされる。
この再生データはコントローラ１１を介してホストコンピュータ２に転送される。
【００２９】
なお、再生処理のための再生クロック及び再生信号に同期した各種タイミング生成のためにＡ／Ｄ変換器２４の出力はＰＬＬタイミングジェネレータ２５にも供給され、いわゆるＰＬＬ動作により再生クロック及びその再生クロックに基づいた各種タイミング信号が形成される。
【００３０】
ホストコンピュータ２から記録要求コマンド及び記録すべきデータが供給された場合は、コントローラ１１はそのデータをエンコーダ／デコーダ部１２に供給し、実際にディスク９０上に記録を行なう場合のデータ形態にエンコードさせる。そしてそのエンコードされたデータは磁気ヘッドドライバ１３に供給され、磁気ヘッドドライバ１３は記録データに応じて磁気ヘッド１４からディスク９０に対する磁界印加動作を実行する。
なお、記録時にはレーザダイオード１５ａからは記録用の高レベルのレーザ出力が実行されている。
【００３１】
３．フォーマット及びアプリケーション登録処理
本例のパーシャルＲＯＭディスクに対するフォーマット処理及びアプリケーション登録処理を説明する。
まず物理フォーマットがされる前のディスク状態を図５（ａ）（ｂ）に示す。図５（ａ）はユーザーエリアにおける外周側がリライタブル領域ＡＲＷとされたパーシャルＲＯＭディスクの場合、図５（ｂ）はユーザーエリアにおける内周側がリライタブル領域ＡＲＷとされたパーシャルＲＯＭディスクの場合を、それぞれ示している。
【００３２】
この段階ではリライタブル領域ＡＲＷは単に光磁気領域とされており、実際上の領域管理は行なわれていない状態であるが、例えばエンボスピットによりデータが記録されるＲＯＭ領域ＡＥは、既に必要なデータが記録された状態となっている。
【００３３】
通常、ＲＯＭ領域ＡＥに記録されるデータとしては、ＲＯＭ領域ＡＥにおけるデータ管理情報となるファイルシステムと、そのファイルシステムに基づいて読み出すことのできるアプリケーションデータ等であるが、本例のパーシャルＲＯＭディスクのＲＯＭ領域ＡＥには、例えば図５（ｃ）又は図５（ｄ）のようにデータが記録されている。
【００３４】
図５（ｃ）の例では、ＲＯＭ領域ＡＥの先頭にファイルシステムＦＳ１が記録され、続いてセットアップシステム、及び暗号システムが記録されている。このセットアップシステム及び暗号システムについては、矢印で示すようにファイルシステムＦＳ１によって管理される状態とされており、つまりファイルシステムＦＳ１にはセットアップシステム、暗号システムを起動させるための管理情報が記録されている。
【００３５】
またＲＯＭ領域ＡＥには、実際のソフトウエアとして提供可能なアプリケーションプログラムＡＰ１，ＡＰ２が記録されている。ただし、この各アプリケーションプログラムＡＰ１，ＡＰ２はファイルシステムＦＳ１によって管理されず、つまりファイルシステムＦＳ１からは起動できないファイルとされている。
【００３６】
セットアップシステムは、ディスクの論理フォーマットのためのツールとされるもので、例えば図４に示したような記録再生装置にディスクを装填した状態でセットアップシステムを起動させることで、リライタブル領域ＡＲＷを使用可能とする論理フォーマットが実行されるものである。論理フォーマットについては後述する。
【００３７】
暗号システムとは、収録されているアプリケーションプログラムＡＰ１，ＡＰ２についてのアプリケーション暗号を管理するとともに、後述するアプリケーション登録処理のツールとされるものである。アプリケーションプログラムＡＰ１とアプリケーションプログラムＡＰ２は別種のソフトウエアとされており、メーカー側で種別毎に設定されたことによる、異なるアプリケーション暗号が付されているが、アプリケーションプログラムＡＰ１，ＡＰ２それぞれのアプリケーション暗号は暗号システム内に記録されている。なお暗号システム（特にアプリケーション暗号）はユーザー側から見ることのできないデータファイルとして管理されることが必要である。
【００３８】
図５（ｄ）の例では、図５（ｃ）のようなデータファイルに加えて、アプリケーションプログラムＡＰ１に対応するテスト版プログラムＡＰ１TESTと、アプリケーションプログラムＡＰ２に対応するテスト版プログラムＡＰ２TESTとが記録されている。
テスト版プログラムＡＰ１TEST、ＡＰ２TESTは、それぞれアプリケーションプログラムＡＰ１，ＡＰ２の内容をダイジェスト的に実行させるプログラムであり、つまりアプリケーションプログラムＡＰ１，ＡＰ２の内容を実際の動作により簡単に紹介できるようにされた簡易プログラムのことである。
【００３９】
このテスト版プログラムＡＰ１TEST、ＡＰ２TESTは破線で示すようにファイルシステムＦＳ１によって管理される状態とし、例えば後述する論理フォーマット前でも起動できるようにしてもよいし、ファイルシステムＦＳ１によっては管理されず、ファイルシステムＦＳ１からは起動できないファイルとしてもよい。
またテスト版プログラムＡＰ１TEST，ＡＰ２TESTは、それぞれアプリケーションプログラムＡＰ１，ＡＰ２の一部だけを起動させるようなプログラム構造とすることで、ディスクに収録するプログラム全体をコンパクトにすることができる。
【００４０】
この図５（ｃ）（ｄ）の例では、アプリケーションプログラムはＡＰ１，ＡＰ２の２つとしたが、もちろんより多数のアプリケーションプログラムを収録してもよいし、１つのアプリケーションプログラムを収録するのみでもよい。ただし、本例による動作をより有効にするには、できるかぎり多数のアプリケーションプログラムを収録することが好ましい。
なお、以下の本例の説明では、図５（ｄ）のようにテスト版プログラムＡＰ１TEST、ＡＰ２TESTが記録されたディスクを例にあげて動作を述べていく。
【００４１】
ところで、物理フォーマットが行なわれる前の状態において、図５（ａ）の場合はリライタブル領域ＡＲＷの先頭がアドレス０、図５（ａ）の場合はＲＯＭ領域ＡＥの先頭がアドレス０、となる。つまり単にディスク外周側が自然にアドレス０とみなされる状態である。
【００４２】
図５（ａ）（ｂ）のようなディスクは、物理フォーマットが行なわれてそれぞれ図６（ａ）（ｂ）に示す状態とされた上でソフトウエアメディアとして出荷される。
即ち物理フォーマットにより、リライタブル領域ＡＲＷにおける、データエリア内のディフェクト部位の検索、ディフェクト部位に代わる交代エリア上の部位の指定、ディフェクトマネジメントエリアＤＭＡ１〜ＤＭＡ４としての情報の作成が行なわれ、リライタブル領域ＡＲＷが物理的に記録／再生可能な状態とされて出荷されることになる。
【００４３】
そしてこの物理フォーマットの際の処理は、物理フォーマットを行なうドライブ（記録再生装置）によって図１０のような処理で行なわれる。即ち物理フォーマット(F100)が開始されたら、その対象となるパーシャルＲＯＭディスクに或る所定のフラグをセットし(F101)、その後上述のディフェクトマネジメントのような実際のフォーマット処理が行なわれる(F102)。なお、ステップF101とF102の順序は逆でもよいが、いずれにしても物理フォーマットに伴ってフラグがセットされる。
【００４４】
フラグは、例えばリライタブル領域ＡＲＷの先頭セクター内のベンダーユニークと呼ばれるエリアに書き込むようにしてもよいし、ディフェクトマネージメントエリア内におけるリザーブエリアを用いてもよい。いづれにしても予め設定した所定位置にフラグがセットされればよい。
フラグがセットされることにより、記録再生装置１では、図６（ａ）（ｂ）に示すようにディスク１に対してＲＯＭ領域ＡＥの先頭をアドレス０として認識する。
【００４５】
このように物理フォーマットが行なわれ、フラグがセットされたパーシャルＲＯＭディスクが出荷されることになるが、記録再生装置１（及びホストコンピュータ２）ではパーシャルＲＯＭディスクが装填された場合に、まず図１１の処理を行なう。即ちディスク装填(F200)に応じて、例えばリライタブル領域ＡＲＷの先頭位置などの所定位置に記録されているフラグを読み込み、そのフラグ状態を保存する(F201)。
【００４６】
図１２のようにホストコンピュータ２により何らかのリード／ライトコマンドが発生された場合は(F300)、記録再生装置１はフラグを確認し(F301)、フラグがオンであった場合はステップF302からF303に進んで、ディスク９０のＲＯＭ領域ＡＥの先頭がアドレス０となるようにアドレス変換を行ない、ステップF305で要求された記録又は再生動作を実行することになる。
従って、物理フォーマットが行なわれた段階でのディスク９０は、フラグがオンであるため、記録再生装置は図６（ａ）（ｂ）のようにＲＯＭ領域ＡＥの先頭をアドレス０として認識し、まずＲＯＭ領域ＡＥの先頭領域に対するアクセスを実行することになる。
【００４７】
物理フォーマットが行なわれたディスク９０に対しては、ホストコンピュータ２及び記録再生装置１が論理フォーマットを行なうことでリライタブル領域ＡＲＷを含めた使用が可能となる。
また本例の場合では、この論理フォーマットの時点でアプリケーション登録も行なわれるものとする。
【００４８】
ホストコンピュータ２からの制御に基づいて記録再生装置１が実行する論理フォーマット処理とともに、論理フォーマット中と論理フォーマット後において実行されるアプリケーション登録処理を図１３に示す。なおこの場合のホストコンピュータ２からの制御とは、ディスク９０のＲＯＭ領域ＡＥに記録されているセットアップシステム及び暗号システムに基づく制御となる。
【００４９】
少なくとも上述した物理フォーマットが行なわれているディスク９０が装填された場合は、ステップF401において、図１１で説明したようにまずフラグが確認されるが、図１２で説明したようにようにフラグオンであれば論理フォーマットがされていないディスクと判別されて、ＲＯＭ領域の先頭がアドレス０とされる。一方、フラグオフであれば、既に論理フォーマットも完了されたディスク９０と判断され、リライタブル領域ＡＲＷの先頭がアドレス０とされる。
【００５０】
まだ論理フォーマットが行なわれていないディスクが装填された場合は、ステップF402でフラグオンと判断されるため、ステップF403に進むことになる。ステップF403〜F406は論理フォーマットの処理となる。
【００５１】
ステップF403に進んで論理フォーマット処理が開始されると、まず記録再生装置１はディスクのアドレス０にアクセスする。上述のようにこの時点でアドレス０はＲＯＭ領域ＡＥの先頭とみなされているため、ＲＯＭ領域ＡＥの先頭に記録されているファイルシステムＦＳ１の読み出しを実行することになる。
そしてＲＯＭ領域ＡＥを管理するファイルシステムＦＳ１を読み込むことでホストコンピュータ２はＲＯＭ領域ＡＥに記録されているセットアップシステムを把握（データファイルとして認識）でき、これに基づいてセットアップシステムを起動させる。
【００５２】
ＲＯＭ領域ＡＥに記録されているセットアップシステムは、いわゆる論理フォーマットツールであり、続くステップF404では、これに基づいてホストコンピュータ２はリライタブル領域ＡＲＷ及びＲＯＭ領域ＡＥ内の暗号システムの管理のためのファイルシステムＦＳ２をリライタブル領域ＡＲＷの先頭領域に書き込ませる。この時点ではファイルシステムＦＳ２からは、まだアプリケーションプログラムＡＰ１，ＡＰ２については管理可能なファイル、つまり起動可能なファイルとはしていない。
【００５３】
なお、このようなファイルシステムＦＳ２を構成するデータはセットアップシステム内にあらかじめ記録されていることで、セットアップシステムの起動によりファイルシステムＦＳ２を生成することが可能となる。
【００５４】
これにより図６（ａ）のようなディスクは図７（ａ）上段に示すように、また図６（ｂ）のようなディスクは図７（ｂ）上段に示すよう、セットアップシステムによってリライタブル領域ＡＲＷの先頭にファイルシステムＦＳ２が書き込まれた状態となる（破線▲１▼）。このようにファイルシステムＦＳ２が書き込まれることによりリライタブル領域ＡＲＷでの記録／再生管理が実現される。
なお、図７における破線斜線部は、ユーザーの使用に残されている記録可能領域となる。
【００５５】
そして、これ以降の時点で、論理フォーマットが完了したディスクであることを示すため、ステップF405で、物理フォーマットの時点でディスク上のリライタブル領域ＡＲＷの所定位置に立てらたフラグをクリアする。
以上の処理で、論理フォーマットとしての処理自体は完了する。
【００５６】
ただし本例では、この論理フォーマットに続いてステップF406以降の処理として、アプリケーションプログラムＡＰ１，ＡＰ２に関するアプリケーション登録処理を行なう。これはファイルシステムＦＳ２からアプリケーションプログラムを起動可能とするための処理である。
【００５７】
このため、まずステップF406で、ファイルシステムＦＳ１から、ＲＯＭ領域ＡＥに記録されている暗号システムを起動させる。
そして、暗号システムにおけるアプリケーション登録のためのプログラムに基づいて、ステップF407で、ユーザーに対してアプリケーション暗号の入力を要求する。なお、図１３では『アプリケーション暗号』を『ＡＰ暗号』と略記している。
【００５８】
ここでユーザーが入力すべきアプリケーション暗号とは、上述したようにメーカー側でアプリケーションの種別毎に設定されたコードであるが、ユーザーは使用したいアプリケーションプログラムについてのアプリケーション暗号をメーカー側から聞く必要がある。このため例えば使用したいアプリケーションプログラムに対して正当な対価を払うことで、メーカー側のサービスセンターがそのアプリケーションプログラムのアプリケーション暗号を教えるような提供形式をとる。つまりディスク自体とは別の、収録されたアプリケーションプログラム毎の販売システムを構築しておく。
【００５９】
このようなシステムによってユーザーが例えばアプリケーションプログラムＡＰ１についての対価を払い、そのアプリケーション暗号を知った場合は、ステップF407の入力要求に対してアプリケーションプログラムＡＰ１についてのアプリケーション暗号を入力できる。
【００６０】
暗号システムに基づくステップF408の動作として、ユーザーによって正しいアプリケーション暗号が入力されたか否かの判断が行なわれる。
暗号システム内には、収録されているアプリケーションプログラムＡＰ１、ＡＰ２のそれぞれについてアプリケーション暗号が記録されているため、その記録されているアプリケーション暗号と、入力されたアプリケーション暗号を照合する。そして、ユーザーの入力したアプリケーション暗号がアプリケーションプログラムＡＰ１又はＡＰ２のいづれかのアプリケーション暗号と一致した場合は、正しいアプリケーション暗号が入力されたとする。
【００６１】
ユーザーが正しくアプリケーション暗号を入力したと判断した場合は、処理はステップF408からF409に進む。そして入力されたアプリケーション暗号に相当するアプリケーションプログラムと、アプリケーション暗号が入力されなかったアプリケーションプログラムに対応するアプリケーションテスト版を、ファイルシステムＦＳ２によって管理可能、つまり起動可能なファイルとするようにファイルシステムＦＳ２を更新する。これが図７（ａ）（ｂ）の各上段の破線▲２▼の動作となる。
【００６２】
一方、ユーザーがステップF407の入力要求に対して何も入力しなかった場合や、対価を払わずにアプリケーション暗号を入手してしない状態などで、誤ったアプリケーション暗号を入力した場合は、ステップF408で否定結果が出、処理はステップF410に進むことになる。そして、この場合は収録されているアプリケーションプログラムのいづれもが選択されなかったとして、各アプリケーションプログラムに対応するアプリケーションテスト版を、ファイルシステムＦＳ２によって管理可能、つまり起動可能なファイルとするようにファイルシステムＦＳ２を更新する（図７（ａ）（ｂ）の各上段の破線▲２▼の動作）。
【００６３】
ステップF409,F410 の処理を具体的に述べると次のようになる。
例えばユーザーが、アプリケーションプログラムＡＰ１に対しての正しいアプリケーション暗号を入力したとする。するとステップF409では、アプリケーションプログラムＡＰ１と、アプリケーションテスト版ＡＰ２TESTが管理可能となるようにファイルシステムＦＳ２が更新される。
このような状態は、図７（ａ）（ｂ）の各下段に示されている。図中ファイルシステムＦＳ２から出ている実線矢印は、ファイルシステムＦＳ２から管理されている状態を示すものとしており、即ち、ファイルシステムＦＳ２からは、リライタブル領域ＡＲＷでの書込／読出と、暗号システム、アプリケーションプログラムＡＰ１、アプリケーションテスト版ＡＰ２TESTの起動が可能とされていることを示している。
【００６４】
またユーザーが、アプリケーションプログラムＡＰ１，ＡＰ２のいづれについても正しいアプリケーション暗号の入力を行なわなかったとすると、ステップF410の処理でアプリケーションテスト版ＡＰ１TEST，ＡＰ２TESTが管理可能となるようにファイルシステムＦＳ２が更新される。
この状態は、図８（ａ）（ｂ）に示されているように、ファイルシステムＦＳ２からは、リライタブル領域ＡＲＷでの書込／読出と、暗号システム、アプリケーションテスト版ＡＰ１TEST，ＡＰ２TESTの起動が可能とされた状態である。
【００６５】
またステップF407の入力要求に対して、アプリケーションプログラムＡＰ１，ＡＰ２の両方についてそれぞれ正しいアプリケーション暗号を入力することもできるが、この場合はステップF409の処理で、アプリケーションプログラムＡＰ１，ＡＰ２が管理可能となるようにファイルシステムＦＳ２が更新される。つまり図９（ａ）（ｂ）に示されているように、ファイルシステムＦＳ２から、リライタブル領域ＡＲＷでの書込／読出と、暗号システム、アプリケーションプログラムＡＰ１，ＡＰ２の起動が可能とされた状態となる。
【００６６】
以上のようなステップF409（もしくはF410) までの処理で、論理フォーマット及び論理フォーマット時に一連の処理として実行されるアプリケーション登録処理は終了されるが、セットアップシステムによる論理フォーマットの付随処理としてステップF411の処理が行なわれる。即ちセットアップシステムのプログラムに基づいてホストコンピュータ２は、リセットして再起動、もしくはディスク９０を一旦抜いてから再度装填することをユーザーに要求して一連の処理を終える。
【００６７】
リセットもしくはディスク抜き差し後においては、まず図１１の処理でフラグが読み込まれるため、論理フォーマットが済んだディスクであれば、フラグオフと判断される。
従って、図１２のようにそのディスク９０に対してホストコンピュータ２により何らかのリード／ライトコマンドが発生された場合は(F300)、記録再生装置１はフラグを確認し(F301)、フラグがオフであるためステップF302からF304に進んで、ディスク９０のリライタブル領域ＡＲＷの先頭がアドレス０となるようにアドレス変換を行ない、ステップF305で要求された記録又は再生動作を実行することになる。
【００６８】
従って、論理フォーマットが行なわれた段階でのディスク９０に対しては、記録再生装置１からは図７（ａ）（ｂ）の各下段に示すようにリライタブル領域ＡＲＷの先頭がアドレス０として認識され、従ってリード／ライト要求発生時にはまずファイルシステムＦＳ２がアクセスされることになる。つまりホストコンピュータ２はリライタブル領域ＡＲＷを所望のデータ記録／再生に使用できることになる。
【００６９】
なお、ホストコンピュータ２の機種によっては、一旦装填したメディアから読み込んだファイルシステムを、リセット時にも保存しておくものもある。この場合、論理フォーマット後に起動させても、論理フォーマット前に読み込んだファイルシステムＦＳ１に基づいて起動を行なってしまう。そこで、このような機種に対応する場合は、ステップF411A としてファイルシステムの変更を伝え、以降の再起動時には、新たにファイルシステムを読み込むようにしておく。つまりファイルシステムＦＳ２が読み込まれるようにする。
【００７０】
フォーマットに関しては、以上の処理までにおいて、物理フォーマット及び論理フォーマットが完了したディスク９０が形成されるわけであるが、上述したように物理フォーマットがされた時点でフラグがセットされ、記録再生装置はこのフラグセットにより、ＲＯＭ領域ＡＥの先頭をアドレス０とみなす。従ってその時点でＲＯＭ領域ＡＥの先頭に記録されているファイルシステムＦＳ１にアクセスし、ＲＯＭ領域ＡＥ内のファイルシステムＦＳ１に管理されるファイルを起動させることができる。つまりセットアップシステムや暗号システムを起動させて論理フォーマットを行なうことが可能である。
【００７１】
また、図５（ｄ）に破線で示したようにファイルシステムＦＳ１によってアプリケーションテスト版ＡＰ１TEST，ＡＰ２TESTが管理されているのであれば、この時点（つまり、物理フォーマットのみが終了された、工場出荷時点（＝店頭販売時点）など）で、アプリケーションテスト版ＡＰ１TEST，ＡＰ２TESTを起動し、収録されているアプリケーションプログラムＡＰ１，ＡＰ２の概略的な内容を知ることもできる。
【００７２】
また論理フォーマットが行なわれた場合は、それに伴ってフラグがクリアされ、記録再生装置はこのフラグクリアにより、リライタブル領域ＡＲＷの先頭をアドレス０とみなす。従って論理フォーマット後ではリライタブル領域ＡＲＷの先頭に記録されているファイルシステムＦＳ２にアクセスでき、つまりリライタブル領域ＡＲＷの使用が可能となる。
そしてこの論理フォーマット時点において、上述したようにアプリケーション登録も行なわれるため、アプリケーション暗号を入力したアプリケーションプログラムについては、以降それを起動してソフトウエアとして使用できるようになるとともに、アプリケーション登録を行なわなかったアプリケーションプログラムについては、アプリケーションテスト版により内容を簡単に知ることができる。
【００７３】
またこのようなシステムの場合、ディスク出荷前の時点でメーカー側が論理フォーマットを行なう必要はなくなり、また既存のＯＳによりパーシャルＲＯＭディスクが扱えるようになる。特にＲＯＭ領域に記録しておくファイルシステムＦＳ１は、例えばＦＡＴシステムなどで記録し、殆どの種類のＯＳで読み込めるようにしておくことで、汎用性を高めることができるという利点が得られる。
【００７４】
さらに、例えばファイルシステムＦＳ２が壊れてしまうような事故が発生しても、再度物理フォーマット及び論理フォーマットを行なうことで、そのディスクのリライタブル領域ＡＲＷを使用可能とすることができる。
【００７５】
ところで、論理フォーマットを終え、そのディスク９０をリライタブル領域ＡＲＷを含めて使用している際にも、アプリケーション登録処理を行なうこともできる。
また必ずしも上述のように、論理フォーマット時の同時にアプリケーション登録処理を実行するようにしなければならないものでもない。
【００７６】
図１３の処理例では、上述のとおり論理フォーマットと同時にアプリケーション登録処理を実行できるとともに、論理フォーマット後の任意の時点でもアプリケーション登録処理を実行できるようにしたものである。
論理フォーマット後でディスク９０が記録再生装置１に装填され、アプリケーション登録処理の実行が指示される場合は、フラグは既にクリアされているため、図１３の処理はステップF402からF412に進むことになる。
そしてステップF412以降の処理としてアプリケーション登録処理、つまりその時点でファイルシステムＦＳ２から起動できないアプリケーションプログラムを起動可能とするための処理が行なわれる。
【００７７】
このため、まずステップF412でＲＯＭ領域ＡＥに記録されている暗号システムを起動させる。このとき（論理フォーマット後）はリライタブル領域ＡＲＷの先頭がアドレス０とみなされるため、この暗号システムの起動はファイルシステムＦＳ２での管理に基づく動作となる。
そして、暗号システムにおけるアプリケーション登録のためのプログラムに基づいて、ステップF413で、ユーザーに対してアプリケーション暗号の入力を要求する。またステップF414の動作として、ユーザーによって正しいアプリケーション暗号が入力されたか否かの判断が行なわれる。
【００７８】
そして正しいアプリケーション暗号が入力されたと判断した場合は、処理はステップF415に進み、入力されたアプリケーション暗号に相当するアプリケーションプログラムを、ファイルシステムＦＳ２によって管理可能、つまり起動可能なファイルとするようにファイルシステムＦＳ２を更新する。
一方、正しいアプリケーション暗号が入力されなかった場合は、ステップF414から処理を終える。つまりファイルシステムＦＳ２の更新は行なわない。
【００７９】
このようなアプリケーション登録動作の具体例は次のようになる。例えば或る時点で図７下段に示したように、アプリケーションプログラムＡＰ１のみが使用可能とされており、アプリケーションプログラムＡＰ２に関しては、そのアプリケーションテスト版ＡＰ２TESTしか使用できないものであったとする。
【００８０】
このときユーザーが例えばアプリケーションテスト版ＡＰ２TESTを起動させてみた結果、そのソフトウエアとしての機能を気に入り、アプリケーションプログラムＡＰ２を使用できるようにしたいと思ったとする。すると、ユーザーはメーカー側にアプリケーションプログラムＡＰ２に対する対価を支払い、メーカー側からアプリケーションプログラムＡＰ２についてのアプリケーション暗号を教えてもらう。そして、上述のアプリケーション登録処理を実行させ、ステップF413の入力要求に対応して、アプリケーションプログラムＡＰ２のアプリケーション暗号を入力する。
【００８１】
これに応じてステップF415の処理が行なわれ、暗号システムにおけるプログラムに基づく動作として、アプリケーションプログラムＡＰ２がファイルシステムＦＳ２によって管理可能とされるように、ファイルシステムＦＳ２を更新する。
【００８２】
なおアプリケーションプログラムＡＰ２を起動可能とすることで、アプリケーションテスト版ＡＰ２TESTは実質的に不要となるため、続いて破線で示すステップF416の処理として、アプリケーションテスト版ＡＰ２TESTをファイルシステムＦＳ２の管理から削除するようにしてもよい。もちろん、あえてステップF416の処理は行なわないようにし、不要となったアプリケーションテスト版も起動できるままにしておいてもよい。
【００８３】
図７（ａ）（ｂ）の各下段の状態から、アプリケーションプログラムＡＰ２が追加登録された状態が、図９（ａ）（ｂ）の状態となる。なお図９（ａ）（ｂ）ではアプリケーションテスト版ＡＰ２TESTをファイルシステムＦＳ２上で管理状態から削除したものとしている。
【００８４】
以上のように本例では、ユーザーは任意の時点でディスク９０に収録されているアプリケーションプログラムを使用可能としていくことができる。換言すれば、ディスク９０を購入した後は、収録されているアプリケーションプログラムを必要に応じて選び、その都度アプリケーションプログラム毎に購入する（対価を払ってアプリケーション暗号を得、起動可能とする）ということができる。
【００８５】
このため、メーカー側としてはソフトウエアとして個別に販売されるべき複数種類のアプリケーションプログラムを１つのディスクに収録することができる。つまり、ソフトウエアの種別毎に異なるデータ（アプリケーションプログラム）を記録したディスクを製造していく必要がなくなり、一つのマスターディスクからのプレスで多種類のソフトウエアメディアを製造できる。これによって製造工程の大幅な簡略化が実現されるとともに、製造コストも大幅に低減できる。上記例ではディスク９０に２種類のアプリケーションプログラムＡＰ１，ＡＰ２を収録した例を上げたが、より多種類のアプリケーションプログラムを収録しておくことで、このような効果は顕著なものとなることはいうまでもない。
またユーザー側から見れば、新しいソフトウエアを欲したときに、わざわざ新しいディスクを購入するという手間はなくなる。
【００８６】
なお、図５（ｃ）に示したようにアプリケーションテスト版ＡＰ１TEST、ＡＰ２TESTを収録しないことも考えられる。この場合では、アプリケーションテスト版によるアプリケーションプログラムの試験的な使用はできないこととなるのみで、他の点については上記例と同様である。
【００８７】
また、１種類のアプリケーションプログラムを収録したのみディスクとしても、本発明は適用できるものである。例えば１種類のアプリケーションプログラムと、そのアプリケーションテスト版を収録しておいて、対価を払ったユーザーのみがそのアプリケーションプログラムを起動可能とするものである。このようにした場合、例えばディスク自体は特に対価を取らずに、もしくは安い対価で多数の人に提供し、アプリケーションテスト版を使用して気に入った人のみが、正式な料金を払って本来のアプリケーションプログラムを使用できるようにするというソフトウエア提供形態などが考えられる。
【００８８】
以上実施の形態としての例をあげてきたが、本発明としてはさらに多様な変形例が考えられる。特に具体的なフォーマット処理やアプリケーション登録処理としては上記例の処理方式に限定されるものではない。
【００８９】
また、各アプリケーションプログラム毎に起動可能／不能を管理できるということは、例えば各アプリケーションプログラム毎に起動可能な期間や、起動可能回数を管理することも可能となることも意味する。
例えば１つのアプリケーションプログラムについて、複数のアプリケーション暗号を設定しておき、それぞれ永久使用許可、期間限定使用許可、回数限定使用許可などの性格を付しておく。すると、暗号システム内のプログラムとして、入力されたアプリケーション暗号から使用許可形態を判別し、例えば期間限定使用許可であったら、その日時が経過した後は、自動的にそのアプリケーションプログラムをファイルシステムＦＳ２の管理状態から削除するというようなことも可能となる。
【００９０】
また、ディスクのリライタブル領域ＡＲＥの所定位置にディスク固有のＩＤコードを記録するようにすることも考えられる（そのＩＤコードをディスクのパッケージなどに添付してディスクを購入したユーザーがわかるようにしておき、ユーザー入力に応じてＩＤコードを記録する）。このようにすることで、システム上で、ＩＤコードからディスク固有のアプリケーション暗号を作ることができる。そして暗号システムを起動すると、システムが記録されたＩＤコードを読み出してディスク毎に固有のアプリケーション暗号を作成するようにでき、この場合ディスクメディア毎にアプリケーション暗号が異なるものとなる。従ってもしディスクが盗まれてもアプリケーションは起動できないようにすることができる。
【００９１】
また実施の形態はパーシャルＲＯＭディスクを例にあげたが、本発明は再生専用領域と記録再生領域が設けられている記録媒体において広く適用できるものである。
【００９２】
【発明の効果】
以上説明したように本発明は、再生専用領域に記録された１又は複数のアプリケーションプログラムの中で、アプリケーションプログラムの種別毎に割り当てられているアプリケーション暗号の入力が行なわれたアプリケーションプログラムのみを、記録再生領域内に形成されデータの記録／再生を管理する管理システムでの管理対象とし、そのアプリケーション暗号の入力が行なわれたアプリケーションプログラムを起動可能としている。
【００９３】
これにより、例えば多種類のアプリケーションプログラムを１つの記録媒体に記録した場合、その記録媒体をユーザー個別に対応して、各ユーザーが必要とされるアプリケーションプログラムを記録した異なるソフトウエアとして提供していくことができる。即ち物理的に同一の記録媒体として多種類のソフトウエアメディアを製造できることになり、製造工程の大幅な簡略化や製造コストの低減を実現できるという効果がある。さらにユーザー側の利便性も向上する。
また１種類のアプリケーションプログラムを収録した場合でも、そのアプリケーションプログラムの提供形態として新たな形態を実現し、ユーザーの利便性を計ることができる。
【００９４】
さらに、アプリケーション暗号の入力が行なわれないアプリケーションプログラムについては、アプリケーション試用プログラムを起動可能としておけば、ユーザーは試験的にそのソフトウエアを使用することができ、ソフトウエアの紹介やユーザーの購入判断などに大いに役立つことになる。
【図面の簡単な説明】
【図１】各種ディスクの説明図である。
【図２】パーシャルＲＯＭディスクのエリア構造の説明図である。
【図３】パーシャルＲＯＭディスクのユーザーエリアの構造の説明図である。
【図４】実施の形態における記録再生装置のブロック図である。
【図５】実施の形態におけるパーシャルＲＯＭディスクの物理フォーマット前の状態の説明図である。
【図６】実施の形態におけるパーシャルＲＯＭディスクの物理フォーマット後の状態の説明図である。
【図７】実施の形態におけるパーシャルＲＯＭディスクの論理フォーマット及びアプリケーション登録時の状態の説明図である。
【図８】実施の形態におけるパーシャルＲＯＭディスクのアプリケーション登録を行なわなかった時の状態の説明図である。
【図９】実施の形態におけるパーシャルＲＯＭディスクのアプリケーション登録時の状態例の説明図である。
【図１０】実施の形態での物理フォーマット処理のフローチャートである。
【図１１】実施の形態でのディスク挿入時の処理のフローチャートである。
【図１２】実施の形態でのリード／ライト処理時のフローチャートである。
【図１３】実施の形態での論理フォーマット及びアプリケーション登録処理のフローチャートである。
【符号の説明】
１  記録再生装置、２  ホストコンピュータ、１１  コントローラ、１２  エンコーダ／デコーダ、１４  磁気ヘッド、１５  光学ヘッド、１９  ＤＳＰ、９０  ディスク、ＡＥ  ＲＯＭ領域、ＡＲＷ  リライタブル領域、ＡＰ１，ＡＰ２アプリケーションプログラム、ＡＰ１test，ＡＰ２test  アプリケーションテスト版
【図１】
0004032440.tif 000002
【図２】
0004032440.tif 000003
【図３】
0004032440.tif 000004
【図４】
0004032440.tif 000005
【図５】
0004032440.tif 000006
【図６】
0004032440.tif 000007
【図７】
0004032440.tif 000008
【図８】
0004032440.tif 000009
【図９】
0004032440.tif 000010
【図１０】
0004032440.tif 000011
【図１１】
0004032440.tif 000012
【図１２】
0004032440.tif 000013
【図１３】
0004032440.tif 000014